(57)【特許請求の範囲】
【請求項１】
ブリッジ（１６）を介して、鼻パッドを省略して形成されているレンズ部（３，３）又はフロントフレーム（４）と、このレンズ部（３，３）又はフロントフレーム（４）の両脇のヨロイとを介して、延長されているテンプル（２，２）の後にモダン（１，１）を取り付け、このモダン（１，１）を耳殻（７，７）の外側の付け根の形状に沿わせるとともに、該モダン（１，１）によって左右側頭骨（３１，３１）及び左右乳様突起（３２，３２）が挟持されていて、さらに、その先端部に耳朶拘束体（３８，３８）が取り付けられ、その耳朶拘束体（３８，３８）は、耳朶（５，５）の裏側の付け根に沿って、耳朶（５，５）の裏面に当接する挟持ストッパー（２８，２８）の終端が、耳朶（５，５）の下端に接しながら前方に湾曲して、該耳朶（５，５）の表面側に当接するように延設されていて、その終端に保持体（９，９）を取り付け、この保持体（９，９）が前記耳朶（５，５）の表面に当接して、この保持体（９，９）と前記挟持ストッパー（２８，２８）の前記耳朶（５，５）の裏面に当接した部分とが協働して、前記耳朶（５，５）を表裏から挟持するように成されているとともに、該耳朶（５，５）の表面側に延設している前記挟持ストッパー（２８，２８）の湾曲部（３６，３６）が、前記耳朶（５，５）の下端に接しながら、前記耳朶（５，５）全体を下方から拘束することを特徴とする眼鏡。
【請求項２】
請求項１記載の眼鏡であって、この眼鏡の前記レンズ部（３，３）又は前記フロントフレーム（４）に一個又は二個のディスプレイ（１４）及び／又はカメラ（３７）が設けられていることを特徴とする眼鏡。
【請求項３】
前記モダン（１，１）の上端に、頭の形状に沿って斜め上方に延設した固定具（６，６）の下方端が取り付けられていることを特徴とする請求項１又は２記載の眼鏡。
【請求項４】
前記モダン（１，１）の終端に取り付けた前記保持体（９，９）と前記挟持ストッパー（２８，２８）が、前記耳朶（５，５）を挟持するようにバネ（３０，３０）で付勢されていることを特徴とする請求項１〜３の何れかに記載の眼鏡。
【請求項５】
前記モダン（１，１）の上端が、前記テンプル（２，２）の後に挿入した連結部材（２５，２５）の後又は前記テンプル（２，２）の後に回動自在に軸支されていて、前記モダン（１，１）が前記テンプル（２，２）に折り重なる方向に、折り畳めるように成されていることを特徴とする請求項１〜４の何れかに記載の眼鏡。
【請求項６】
前記レンズ部（３，３）の内側上方角近傍又は前記フロントフレーム（４）又は前記ブリッジ（１６）に、パッド本体（１７，１７）付アーム（１８，１８）又は一体型パッド（１９，１９）が接合され、このパッド本体（１７，１７）付アーム（１８，１８）又は一体型パッド（１９，１９）が、鼻根（２２）に平行な方向に当接するように又は鼻根（２２）の前方斜め上向きの位置に当接されるように、ブリッジ（１６）又はフロントフレーム（４）の延在方向に対して直角に又は上向きに傾斜して設けられていることを特徴とする請求項１〜５の何れかに記載の眼鏡。
【請求項７】
前記テンプル（２，２）又は前記モダン（１，１）及び／又はパッド本体（１７，１７）付アーム（１８，１８）又は一体型パッド（１９，１９）に、角膜頂点間距離が調整可能な調整機構（８，８）が設けられていることを特徴とする請求項１〜６の何れかに記載の眼鏡。
【請求項８】
前記モダン（１，１）に、耳珠当接体（２０，２０），補聴器（１１，１１），イヤホーン（１２，１２），装飾品（１３，１３）の少なくとも一つが取り付け可能となっていることを特徴とする請求項１〜７の何れかに記載の眼鏡。
【請求項９】
前記耳殻（７，７）と、該耳殻（７，７）に装着した仮の眼鏡フレームとの形状を３Ｄスキャナー又はデジタルカメラによって３Ｄデータリングし、その３Ｄデータによって得られた前記耳殻（７，７）に、フィットした理想的な眼鏡フレーム形状の合成に基づいて、其々の人の耳の形状に合致した眼鏡の製作を行うことを特徴とする請求項１〜８の何れかに記載の眼鏡。
【発明の詳細な説明】
【技術分野】
【０００１】
本発明は、鼻パッドを省略して形成されているレンズ部、フロントフレームが浮いた状態で安定して掛けられる眼鏡に関する。
【背景技術】
【０００２】
従来の眼鏡は、レンズ部の重量が前方下向き傾斜の鼻パッドに押圧として掛かるように成されていて、この鼻パッドとへ字状のモダンとが互いに引き合うようにして固定されている。そのためレンズ部の重量が鼻の両側の柔らかい皮膚面を押圧し、この眼鏡を長期間掛けた場合、鼻パッドが当接した部分は変色して跡が残る。そこで、出願人は鼻パッドが顔に触れずに浮いた状態でかけることができる眼鏡を開発し、先に「眼鏡」特許第５３６８６５７号，「眼鏡」特許第５４０６４１１号，「眼鏡」特許第５４５１９３５号を取得している。これらの「眼鏡」は、眼鏡を保持するために耳朶の裏表面に当接させている保持体と挟持ストッパーが協働して挟持することによって、眼鏡を安定して固定している。
【先行技術文献】
【特許文献】
【０００３】
【特許文献１】特許第５４５１９３５号
【特許文献２】特許第５４０６４１１号
【特許文献３】特許第５３６８６５７号
【０００４】
特許文献１は、出願人が先に特許査定となっている発明の名称「眼鏡」特許第５４５１９３５号であり、未公開である。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を耳殻７，７の外側の付け根の形状に沿わせるとともに、左右側頭骨３１，３１及び左右乳様突起３２，３２が挟持されていて、その後、耳朶５，５の裏側の付け根に沿って下方に延設して前方に湾曲され、この終端に保持体９，９を取り付け、この保持体９，９が前記耳朶５，５に当接するように成されていて、前記耳朶５，５の裏面の前記モダン１，１の位置に、前記保持体９，９と協働して前記耳朶５，５を挟持する前記保持体９，９より大きく、耳朶５，５の裏面に当接する挟持ストッパー２８，２８が設けられていることで、眼鏡を安定させて掛けるように成されている。
【０００５】
特許文献２は、出願人が先に取得している発明の名称「眼鏡」特許第第５４０６４１１号であり、ブリッジ１６を介して、鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を、耳殻７，７の外側の付け根の形状に沿わせるとともに、このモダン１，１で左右側頭骨３１，３１及び左右乳様突起３２，３２が挟持されていて、その後、耳朶５，５の裏側の付け根に沿って下方に延設して前方に湾曲され、このモダン１，１が顔の両側面を挟持しつつ上方に延設されて、上端と接合されることにより、このモダン１，１がリング状体と成され、このモダン１，１に前記耳朶５，５の表面に当接する保持体９，９を取り付け、この耳朶５，５の裏面の前記モダン１，１の位置に、前記保持体９，９と協働する挟持ストッパー２８，２８を設け、前記レンズ部３，３又は前記フロントフレーム４にディスプレイ１４が設けられた形状に成されている。
【０００６】
特許文献３は、出願人が先に取得している発明の名称「眼鏡」特許第５３６８６５７号であり、ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を、耳殻７，７の外側の形状に沿わせるとともに、その終端が耳朶５，５を避けるように前方に湾曲され、その後、このモダン１，１が上方に延設されて上端と接合されることにより、このモダン１，１がリング状体と成されていて、このモダン１，１に前記耳朶５，５の表面に当接する保持体９，９を取り付け、この耳朶５，５の裏面の前記モダン１，１の位置に、前記保持体９，９と協働する挟持ストッパー２８，２８が設けられた形状に成されている。
【０００７】
本発明は、鼻パッドを省略している眼鏡を安定して固定するために、左右のモダン１，１が左右側頭骨３１，３１及び左右乳様突起３２，３２を挟持している。モダン１，１の終端に取り付けた保持体９，９を耳朶５，５に当接させ、この耳朶５，５の裏面のモダン１，１の位置に、保持体９，９と協働して耳朶５，５を挟持する挟持ストッパー２８，２８を設けている。保持体９，９と挟持ストッパー２８，２８を連結している耳朶５，５の下端部の形状を、耳朶５，５に当接しながら、耳朶５，５を包む湾曲形状にしている点が、上記の特許文献との相違点であり、対比説明のできる文献ではありません。
【発明の概要】
【発明が解決しようとする課題】
【０００８】
鼻パッドを省略した眼鏡を、浮いた状態で長時間安定して保持するために、モダンを実装感の良い形状にして、耳朶で安定して固定することを課題としている。
【課題を解決するための手段】
【０００９】
レンズ部又はフロントフレームの両脇のヨロイを介して、延長されているテンプルの後にモダンを取り付け、このモダンを耳殻の外側の耳の付け根の形状に沿わせるとともに、このモダンで左右側頭骨及び左右乳様突起を挟持し、モダンの最終端に取り付け、耳朶の表面に当接している保持体と、耳朶の裏面から協働して耳朶を挟持している挟持ストッパーと、耳朶の下端を包むように当接している湾曲部が、耳朶を安定して拘束する構成である。
【発明の効果】
【００１０】
本発明１の効果として、テンプル２，２の後に取り付けた左右のモダン１，１は、耳殻７，７の外側の耳の付け根の形状に沿わせるとともに、左右側頭骨３１，３１及び左右乳様突起３２，３２を挟持している。このモダン１，１に耳朶拘束体３８，３８が取り付けられ、この耳朶拘束体３８，３８に設けられている保持体９，９と挟持ストッパー２８，２８と、この保持体９，９と挟持ストッパー２８，２８を連結している湾曲部３６が、協働して耳朶５，５の表裏面と下方面から包み込んで拘束しているので、この耳朶５，５が変形することなく、重いレンズ部３，３又はフロントフレーム４であっても顔面に触れずに浮いた状態で安定して掛けることができる。
【００１１】
本発明２の効果として、レンズ部３，３又はフロントフレーム４にディスプレイ１４、カメラ３７を設けることによって、ウエアラブル機器１５の機能を備えた眼鏡として、鼻に負担なく使用することができる。
【００１２】
本発明３の効果として、モダン１，１の上端に、頭の形状に沿って斜め上方に延設した固定具６，６の下方端を取り付けることにより、レンズ部３，３又はフロントフレーム４が下がることを阻止して、浮いた状態を保持する補助的な役割をしている。
【００１３】
本発明４の効果として、モダン１，１の終端に取り付けた保持体９，９と協働する挟持ストッパー２８，２８が、バネ３０，３０で付勢されているので、適宜の強さで耳朶５，５を挟持して保持できる。眼鏡の着脱時には保持体９．９を外側に広げることが可能であり便利である。
【００１４】
本発明５の効果として、モダン１，１をテンプル２，２に折り重なる方向に、折り畳むことにより、従来のメガネと同じサイズになる。コンパクトにして便利に使用することができる。
【００１５】
本発明６の効果として、レンズ部３，３又はフロントフレーム４の内側上方角近傍又はブリッジ１６に、鼻根２２に平行な方向に当接するように又は鼻根２２の前方斜め上向きの位置に当接するように、パッド本体１７，１７付アーム１８，１８又は一体型パッド１９，１９を、ブリッジ１６又はフロントフレーム４の延在方向に対して直角に又は上向きに傾斜して設けることにより、眼鏡が浮いた状態で鼻根２２に僅かに接触して、眼鏡を前後方向、左右方向にずれない様に支持することができる。眼鏡が顔面の中央に位置していることを確認できる。
【００１６】
本発明７の効果として、テンプル２，２又はモダン１，１及び／又はパッド本体１７，１７付アーム１８，１８又は一体型パッド１９，１９に調整機構８，８を取り付け、視力矯正の為に、レンズ部３，３と目との間の角膜頂点間距離を、正確に調整して決めることができる。
【００１７】
本発明８の効果として、モダン１，１の終端から接続部材２１、２１を上方に延設して、耳の耳珠１０，１０を包み込むように形成した耳珠当接体２０，２０を取り付け、この耳珠当接体２０，２０に天然鉱石，突起部を設けることにより、耳つぼを刺激し気の流れをスムーズにして、メガネを掛けている間に耳つぼ効果が得られる。また、接続部材２１，２１に補聴器１１，１１，イヤホーン１２，１２を取り付けることにより、メガネと補聴器１１，１１，イヤホーン１２，１２を同時に使用することができる。ピアスやイヤリングの代わりに、モダン１，１，保持体９，９に装飾品１３，１３を取り付けてお洒落を楽しむことができる。前方から見た場合、装飾品１３，１３は保持体９，９，モダン１，１を隠しファッション性に優れた眼鏡になる。
【００１８】
本発明９の効果として、Ｄスキャナー又はデジタルカメラを使用して、製作する人の頭部及び耳殻７，７をデータリングして、予め製作しておいた仮想のフレームデータを合成させ、理想的な３Ｄイメージの眼鏡フレーム形状を作成し、このフレームのデータに基づいて、其々の人の耳の形状に合致したフレームの製作が簡単にできる。
【図面の簡単な説明】
【００１９】
【図１】本発明１の実施の形態の一例を示す斜視図、側面図、斜視図である。
【図２】本発明１の実施の形態の一例を示す後面図、部分拡大図である。
【図３】本発明２の実施の形態の一例を示す斜視図、側面図である。
【図４】本発明３の実施の形態の一例を示す斜視図、側面図である。
【図５】本発明４の実施の形態の一例を示す斜視図である。
【図６】本発明５の実施の形態の一例を示す側面図である。
【図７】本発明５の実施の形態の一例を示す側面図である。
【図８】本発明６の実施の形態の一例を示す斜視図である。
【図９】本発明６の実施の形態の一例を示す平面図、斜視図である。
【図１０】本発明７の実施の形態の一例を示す説明図、側面図である。
【図１１】本発明７の実施の形態の一例を示す斜視図である。
【図１２】本発明８の実施の形態の一例を示す斜視図である。
【図１３】本発明８の実施の形態の一例を示す斜視図である。
【図１４】本発明９の実施の形態の一例を示す説明図である。
【発明を実施するための形態】
【００２０】
本発明は、レンズ部３，３、フロントフレーム４が浮いた状態で安定して眼鏡を掛けるために、モダン１，１の形状は、耳殻７，７の外側の耳の付け根の形状に沿わせて延設させるとともに、左右側頭骨３１，３１及び左右乳様突起３２，３２を挟持させ、耳朶５，５の裏面に当接する挟持ストッパー２８，２８と、この挟持ストッパー２８，２８の下方に設けた耳朶５，５の下端を包むように当接している湾曲部３６と、このモダン１，１の終端に取り付けた保持体９，９の三方の当接面によって、耳朶５，５を拘束するので、眼鏡が保持されている。眼鏡のレンズ部３，３側を前方とし、モダン１，１側を後方としている。以下、本発明の実施の形態について、図面を参照して説明する。
【実施例１】
【００２１】
そこで、本発明の請求項１記載の眼鏡（以下、本発明１と言う）は、ブリッジ１６を介して、鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を耳殻７，７の外側の付け根の形状に沿わせるとともに、該モダン１，１によって左右側頭骨３１，３１及び左右乳様突起３２，３２が挟持されていて、さらに、その先端部に耳朶拘束体３８，３８が取り付けられ、その耳朶拘束体３８，３８は、耳朶５，５の裏側の付け根に沿って、耳朶５，５の裏面に当接する挟持ストッパー２８，２８の終端が、耳朶５，５の下端に接しながら前方に湾曲して、該耳朶５，５の表面側に当接するように延設されていて、その終端に保持体９，９を取り付け、この保持体９，９が前記耳朶５，５の表面に当接して、この保持体９，９と前記挟持ストッパー２８，２８の前記耳朶５，５の裏面に当接した部分とが協働して、前記耳朶５，５を表裏から挟持するように成されているとともに、該耳朶（５，５）の表面側に延設している前記挟持ストッパー（２８，２８）の湾曲部（３６，３６）が、前記耳朶（５，５）の下端に接しながら、前記耳朶（５，５）全体を下方から拘束することを特徴としている。
【００２２】
実施の形態の一例として、第１ａ図は、本発明１の耳朶拘束体３８，３８をモダン１，１に取り付けた眼鏡の斜視図であり、第１ｂ図は、本発明１の眼鏡を掛けている人の側面図であり、第１ｃ図は、本発明１の耳朶拘束体３８を耳朶５に嵌め込んだ耳の拡大図である。
【００２３】
ブリッジ１６を介して、鼻パッドを省略して形成されているレンズ部３，３の両脇のヨロイとを介して、延長されているテンプル２，２の後にモダン１，１を取り付け、このモダン１，１を耳殻７，７の外側の付け根の形状に沿わせ、その先端部に耳朶拘束体３８，３８が取り付けられ、その耳朶拘束体３８，３８は、耳朶５，５の裏側の付け根に沿って、耳朶５，５の裏面に当接する挟持ストッパー２８，２８の終端が、耳朶５，５の下端部に接しながら前方に湾曲して、耳朶５，５の表面側に当接するように延設されていて、その終端に保持体９，９を取り付け、この保持体９，９が耳朶５，５の表面に当接して、この保持体９，９と挟持ストッパー２８，２８の耳朶５，５の裏面に当接した部分とが協働して、耳朶５，５を表裏から挟持するように成されているとともに、耳朶５，５の下端に接しながら、耳朶５，５の表面側に延設している挟持ストッパー２８，２８の湾曲部３６，３６が、耳朶５，５を拘束することを示している。
【００２４】
実施の形態の一例として、第２ａ図は、本発明１のモダン１，１が挟持している側頭骨３１と乳様突起３２及び耳の耳殻７と外耳孔３３の位置を示す頭蓋骨の後面斜視図である。耳殻７の上方に側頭骨３１が位置し、耳殻７及び耳朶５の後方に乳様突起３２が位置する。第２ｂ図は、本発明１の眼鏡を掛けた人の後面図であり、第２ｃ図は、本発明１のモダン１，１を掛けている耳の後面図の部分拡大図である。モダン１，１を耳殻７，７の裏側の付け根に沿って延設し、左右の乳様突起３２，３２を挟持しながら下方に延設し、耳朶５，５の下端を包むように当接しながら前方に湾曲して、モダン１，１の最終端に取り付けた保持体９，９と挟持ストッパー２８，２８が協働して耳朶５，５を挟持している。保持体９，９と挟持ストッパー２８，２８を連結している湾曲部３６，３６で形成されている耳朶拘束体３８，３８は縦断面が略Ｕ字状であり、耳朶５，５全体を下方から拘束することができるので、耳殻７，７の付け根の全周縁にモダン１，１を当接させて挟持することによって、しっかりと眼鏡を固定することができる。
【００２５】
耳朶５，５は、側頭より僅かに突出して垂加した状態であり、一般的にピアスをする位置と言う認識があり、痛みを感じにくい場所でもある。耳の下方にある耳朶５，５は柔らかく浮いた状態であり、耳朶５，５の裏面と頭側の間には隙間が存在している。保持体９，９が当接して押されても耳朶５，５が動かないようにするには、左右乳様突起３２，３２を挟持している左右モダン１，１の耳朶５，５の裏面のモダン１，１の位置に、挟持ストッッパー２８，２８を取り付け、この挟持ストッパー２８，２８が耳朶５，５の裏面に当接しているので、挟持ストッパー２８，２８は固定される。耳朶５，５、に当接している保持体９，９と挟持することにより、モダン１，１全体で眼鏡を保持することができる。
【００２６】
耳朶５，５は、耳朶拘束体３８，３８が適宜の強さで拘束することには問題ない。耳朶拘束体３８，３８の形状は、人の耳朶５，５の形状が様々であるので限定しない。耳朶５，５と同一色、同一形状にすることにより目立ちにくくできる。デザインによりピアスをしているように見える。髪の毛の多い人の場合、耳全体が髪の毛で隠されるので、どのような方法で眼鏡を支持して、レンズ部３，３を浮かしているか分からない。下向き傾斜の鼻パッドを省略しているので、第図１ａで示しているように、レンズ部３，３、ブリッジ１６がスッキリしてファッション性が向上する。
【００２７】
本発明で言う眼鏡は，老眼鏡，度付きメガネ，ＴＶ・映画用３Ｄメガネ，伊達メガネ，サングラス，風防メガネ，カメラ３７を取り付けたメガネ，拡大鏡を入れたメガネ，ライトを取り付けたメガネ，度数調整可能な液体レンズメガネ，剣道用メガネ，ウエアラブル機器１５を取り付けたメガネ，スクリーンに表示される画像を観察するための画像観察用メガネ，拡張現実（ＡＲ）機能を備えたメガネ，ヘッドバンドを取り付けた手術用メガネなどである。
【００２８】
モダン１，１及び耳朶拘束体３８，３８の材質は、シリコン、ＣＰ、ポリエステル、アセテート、ＰＶＣ、ポリアミド、ニュクレル、形状記憶樹脂、スポンジ、ベータプラスチックなどである。耳に接する部分及び耳朶拘束体３８，３８が耳朶５，５に接する部分は柔軟な素材が適している。
【実施例２】
【００２９】
本発明の請求項２記載の眼鏡（以下、本発明２と言う）は、請求項１記載の眼鏡であって、この眼鏡の前記レンズ部３，３又は前記フロントフレーム４に一個又は二個のディスプレイ１４及び／又はカメラ３７が設けられていることを特徴としている。
【００３０】
実施の形態の一例として、第３ａ図は、本発明１の眼鏡のフロントフレーム４にディスプレイ１４とカメラ３７を取り付けたメガネタイプのウエアラブル機器１５の斜視図であり、第３ｂ図は、ウエアラブル機器１５を取り付けた眼鏡を掛けている人の側面図である。下向き傾斜の鼻パッドを省略して形成されているフロントフレーム４の両脇のヨロイを介して、延長されているテンプル２，２の後にモダン１，１を取り付け、このモダン１，１を耳殻７，７の外側の付け根の形状に沿わせるとともに、モダン１，１によって左右側頭骨３１，３１及び左右乳様突起３２，３２が挟持されていて、さらに、その先端部に耳朶拘束体３８，３８が取り付けられていることを示している。
【００３１】
ウエアラブル機器１５は現在開発中であり、軽薄短小に改良されるが、従来の下向き傾斜の鼻パッドのメガネタイプに取り付けた場合は、ウエアラブル機器１５の重量がフロントフレーム４にかかり、鼻根２２への負担が非常に大きい。しかし、本発明１の眼鏡型のフロントフレーム４にウエアラブル機器１５を取り付けた場合、モダン１，１によって左右側頭骨３１，３１及び左右乳様突起３２，３２が挟持されていて、このモダン１，１の下端に取り付けた耳朶拘束体３８，３８により、モダン１，１全体でウエアラブル機器１５を保持することができる。ウエアラブル機器１５を保持する眼鏡として適している。
【００３２】
ウエアラブル機器１５とは、カメラ３７，マイク，スピーカー，インターネット接続を備え、音声操作でＡＲメガネをかけて手ぶらで歩きながら、スケジュールや天気予報、交通情報を調べたり、目的地へのルートを確認したり、友人とメールやビデオ通話で連絡を取り合ったり、ユーザーの健康状態を知らせてくれたり、日常生活の中で目にしている情報をディスプレイ１４上に表示することができる。ウェアラブルコンピューターは、出力デバイスであるディスプレイ１４を目の近くに付けるため、メガネのような形状が適している。
【実施例３】
【００３３】
本発明の請求項３記載の眼鏡（以下、本発明３と言う）は、前記モダン１，１の上端に、頭の形状に沿って斜め上方に延設した固定具６，６の下方端が取り付けられていることを特徴としている。
【００３４】
実施の形態の一例として、第４ａ図は、本発明３の固定具６，６の下端をモダン１，１の上端に取り付けた眼鏡の斜視図であり、第４ｂ図は、本発明３の眼鏡を掛けている人の側面図である。本発明１のモダン１，１の上端部に取り付けた固定具６，６は頭の形状に沿って斜め上方に延設し、先端部が頭側に沿って、僅かに内側に湾曲することにより、左右側頭骨３１，３１を挟持することができるので、レンズ部３，３が下がることを止め、浮いた状態を保持する補助的な役割をしている。
【実施例４】
【００３５】
本発明の請求項４記載の眼鏡（以下、本発明４と言う）は、前記モダン１，１の終端に取り付けた前記保持体９，９と前記挟持ストッパー２８，２８が、前記耳朶５，５を挟持するようにバネ３０，３０で付勢されていることを特徴としている。
【００３６】
実施の形態の一例として、第５ａ図は、本発明４の保持体９と挟持ストッパー２８が、耳朶５をバネ３０で付勢していることを示す斜視図であり、第５ｂ図は、本発明４のバネ３０を取り付けたモダン１の斜視図である。耳朶５に当接した保持体９と協働する挟持ストッパー２８がバネ３０で付勢されることにより、耳朶５を確実に挟持できる。バネ３０を適宜の強さに調整することも可能であり、眼鏡を固定する役割をしている。バネ３０は弾力性を有するプラスチックでも良い。
【００３７】
実施の形態の一例として、第５ｃ図は、本発明４のバネ３０が耳朶５を付勢している保持体９を矢印が示すように外側に引いて、耳朶５に当接している保持体９を耳朶５から離したことを示す斜視図であり、第５ｄ図は、本発明４のバネ３０で耳朶５を付勢している保持体９を、矢印が示すように外側に開いた状態を示すモダン１の斜視図である。このような構成により、保持体９を僅かに外側に動かして簡単に眼鏡を着脱することができる。
【実施例５】
【００３８】
本発明の請求項５記載の眼鏡（以下、本発明５と言う）は、前記モダン１，１の上端が、前記テンプル２，２の後に挿入した連結部材２５，２５の後又は前記テンプル２，２の後に回動自在に軸支されていて、前記モダン１，１が前記テンプル２，２に折り重なる方向に、折り畳めるように成されていることを特徴としている。
【００３９】
「テンプルに折り畳めるモダンを取り付けた眼鏡」とは、出願人が先に取得している特許第５１９９５０９号、発明の名称「折り畳めるモダン」である。この特許は特許第４８２４８３８号の「耳つぼメガネ」のテンプルの端部に、連結部材を固定又は摺動自在に取り付け、この連結部材に、頭の形状に沿って斜め上方に延設した固定具の下方端が取り付けられ、モダンの上方端が、回動自在に軸支されていて、テンプルに折り重なる方向に、折り畳めるように成されている構成である。
【００４０】
実施の形態の一例として、第６ａ図は、本発明１のモダン１を連結部材２５に設けた軸２４により回動自在にした眼鏡の側面図であり、第６ｂ図は、モダン１を略９０度テンプル２に折り重なる方向に、折り畳んだ側面図であり、第６ｃ図は、モダン１をテンプル２，２に折り重なる方向に折り畳んだ後、テンプル２，２を内側のレンズ部３，３側に折り畳んだ状態を示す正面図である。本発明３のモダン１を前方に略９０度折り曲げてテンプル２，２に折り重なるように折り畳むことができる。実施の形態の一例として、連結部材２５，２５の軸２４，２４の部分にバネ丁番を取り付けるか、連結部材２５，２５に摺動可能な係止具を取り付け、モダン１，１側にスライドさせることによって、その展開状態を保持させることができる。
【００４１】
実施の形態の一例として、第７ａ図は、本発明１のモダン１を連結部材２５に設けた軸２４により回動自在にした眼鏡の側面図であり、第７ｂ図は、モダン１を略１８０度後方に押し上げたことを示す側面図であり、第７ｃ図は、後方に押し上げたモダン１をテンプル２に折り重なる方向に略２７０度折り曲げてテンプル２に折り重なるように折り畳んだことを示す側面図である。第６ａ図で示したモダン１を折り畳んでいる方向とは反対方向に、回転させて折り畳むことができる。この場合は係止具を使用することなく展開状態を保持できる。
【００４２】
かかる構成により、眼鏡を仕舞う時、モダン１を前方又は後方に回転させながら折り曲げて畳むことにより、従来のメガネと同じ大きさとなりケースに収まる。
【００４３】
実施の形態の一例として、本発明の眼鏡の形状として、レンズ部３，３又はフロントフレーム４の両脇のヨロイを介して、延長されているテンプル２，２は折り畳めるようになっているが、レンズ部３，３又はフロントフレーム４の両脇のヨロイを取り付けずに一体成型して眼鏡を製作することもできる。
【実施例６】
【００４４】
本発明の請求項６記載の眼鏡（以下、本発明６と言う）は、前記レンズ部３，３の内側上方角近傍又は前記フロントフレーム４又は前記ブリッジ１６に、パッド本体１７，１７付アーム１８，１８又は一体型パッド１９，１９が接合され、このパッド本体１７，１７付アーム１８，１８又は一体型パッド１９，１９が、鼻根２２に平行な方向に当接するように又は鼻根２２の前方斜め上向きの位置に当接されるように、ブリッジ１６又はフロントフレーム４の延在方向に対して直角に又は上向きに傾斜して設けられていることを特徴としている。
【００４５】
先に出願人は発明の名称「眼鏡」特許第５１９９５１１号を取得している。特許第４８２４８３８号の「耳つぼメガネ」は、眼鏡のレンズフレーム５，５又はレンズ６，６又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられていることで、眼鏡を顔面に安定させるように成されている構成である。
【００４６】
実施の形態の一例として、第８ａ図は本発明６のパッド本体１７，１７付アーム１８，１８を取り付けた眼鏡の拡大図である。眼鏡のブリッジ１６の両端にアーム１８，１８の一方端を取り付け、このアーム１８，１８の他方端にパッド本体１７，１７を取り付けたことを示している。このパッド本体１７，１７の内側表面は鉛直状に形成され、鼻根２２に鉛直状に当接するので、皮膚に接する部分の形状は凹面になっている。
【００４７】
実施の形態の一例として、第８ｂ図は本発明６の一体型パッド１９，１９をブリッジ１６に取り付けた眼鏡の拡大図である。眼鏡のブリッジ１６の内側にＹ字状の一体型パッド１９，１９の一方端を取り付け、この一体型パッド１９，１９の他方端の形状がパッド形状に成されていることを示している。このパッドの形状はメガネをかけた時、このパッドに接することにより、メガネの位置が顔の中心になっていることを確かめる役割をしている。
【００４８】
実施の形態の一例として、第９ａ図は本発明６の眼鏡を掛けている人の平面図である。眼鏡のブリッジ１６に、Ｙ字形の一体型パッド１９が接合され、この一体型パッド１９が、鼻根２２に鉛直に鼻根２２を挟んで当接することにより、左右方向と後方向にずれないので、眼鏡を顔面に安定させて掛けられることを示している。
【００４９】
実施の形態の一例として、第９ｂ図は本発明６のパッド本体１７，１７付アーム１８，１８を取り付けた本発明２のメガネタイプのウエアラブル機器１５を掛けている人の斜視図である。眼鏡型のフロントフレーム４に、パッド本体１７，１７付アーム１８，１８が接合され、このパッド本体１７，１７付アーム１８，１８が、鼻根２２を上向きに挟んで当接することにより、左右方向と後方向にずれない様に支持し、ウエアラブル機器１５を顔面に浮いた状態で安定させて掛けられることを示している。
【００５０】
本発明６のパッド本体１７，１７の表面を構成する曲面は、鼻根２２の表面にほぼ合致した曲率の曲面に形成している。メガネを顔に装着した時、パッド本体１７，１７を皮膚に押し当てメガネが顔の所定の位置に保持される。パッド本体１７，１７の表面は、鼻根２２の表面にほぼ合致した曲面に形成されているので、メガネからの荷重が掛かることはない。鼻根２２の表面にパッド本体１７，１７の跡が付くようなことはなく、快適な装着感が得られる。
【００５１】
本発明６のパッド本体１７，１７に取り付けられているアーム１８，１８を、柔らかい材質、線径の細い材料で形成し、パッド本体１７，１７に加わるレンズ部３，３からの動きに応じて弾性変形するようにできる。眼鏡を顔に装着した時に、レンズ部３，３からの荷重を感じることはなく、両アーム１８，１８が僅かに弾性変形することにより、両パッド本体１７，１７が鼻の側面に強く当たることは防止され、長時間に渡って快適な装着性が得られる。
【実施例７】
【００５２】
本発明の請求項７記載の眼鏡（以下、本発明７と言う）は、前記テンプル２，２又は前記モダン１，１及び／又はパッド本体１７，１７付アーム１８，１８又は一体型パッド１９，１９に、角膜頂点間距離が調整可能な調整機構８，８が設けられていることを特徴としている。
【００５３】
実施の形態の一例として、第１０ａ図，第１０ｂ図は、本発明７の調整機構８，８をモダン１，１に設けた説明図である。モダン１，１の上端に設けた連結部材２５，２５にテンプル２，２を摺動自在に挿入し、適宜の位置でネジ２６，２６を締めて固定できることを示している。第１０ｃ図は、本発明７の調整機構８，８をテンプル２，２の前方に設けた側面図である。テンプル２，２の前方に設けた連結部材２５，２５にテンプル２，２を摺動自在に挿入し、適宜の位置でネジ２６，２６を締めて固定できることを示している。角膜頂点間距離を調整することは、眼鏡の装用者にとって最も重要なことであり、レンズの性能に大きく影響する。
【００５４】
実施の形態の一例として、第１１ａ図は本発明７のパッド本体１７，１７付アーム１８，１８をレンズフレーム２３，２３の内側上端に取り付けたことを示す拡大図である。アーム１８，１８の略中間が内側に湾曲されている。この湾曲の大きさを調整してパッド本体１７，１７を装用者の顔面の正しい位置に当接することによって、鏡を見ずに眼鏡の中心を顔の中心に位置決めできる。
【００５５】
実施の形態の一例として、第１１ｂ図は本発明７の一体型パッド１９をブリッジ１６に調整可能に取り付けた拡大図である。ネジ２６付筒体２７をブリッジ１６に接合し、そのネジ２６付筒体２７の空孔部に一体型パッド１９を挿入し、適宜の位置でネジ２６を締めて前後方向の調整ができる。また、一体型パッド１９のＹ字部を曲げることによって、メガネフレーム２３，２３を装用者の顔の正しい角膜頂点間距離の位置に保持できる。
【実施例８】
【００５６】
本発明の請求項８記載の眼鏡（以下、本発明８と言う）は、前記モダン１，１に、耳珠当接体２０，２０，補聴器１１，１１，イヤホーン１２，１２，装飾品１３，１３の少なくとも一つが取り付け可能となっていることを特徴としている。
【００５７】
実施の形態の一例として、第１２ａ図は、本発明８の耳珠当接体２０が、モダン１に取り付けた耳朶拘束体３８から接続部材２１を介して、耳珠１０に当接している斜視図である。耳つぼの飢点を刺激して、耳つぼのダイエット効果がある。第１２ｂ図は、本発明８の骨伝導式のイヤホーン１２が、モダン１に取り付けた耳朶拘束体３８８から接続部材２１を介して側頭に当接している斜視図である。
【００５８】
実施の形態の一例として、第１２ｃ図は、本発明８の補聴器１１又はイヤホーン１２を、モダン１の終端に取り付けた耳朶拘束体３８から、接続部材２１を介して取り付けた斜視図である。第１２ｄ図は本発明８の装飾品１３を、モダン１の終端に取り付けた耳朶拘束体３８に取り付けた斜視図である。この装飾品１３によりモダン１の外観から見える部分を隠すことができる。イヤリング，ピアスの代わりにイヤーポイントとして装飾品１３、宝飾品を耳朶拘束体３８やモダン１に取り付けてお洒落を楽しむことができる。
【００５９】
実施の形態の一例として、第１３ａ図は、本発明８の装飾品１３，１３を着脱可能にするために耳朶拘束体３８に２個のピン穴３４，３４を設けた斜視図であり、第１３ｂ図は、本発明１のモダン１の耳朶拘束体３８に装飾品１３を取り付けた斜視図であり、第１３ｃ図は、本発明８の装飾品１３を耳朶拘束体３８に取り付けるために、装飾品１３に２本のピン３５，３５を取り付けたことを示している。
【００６０】
実施の形態の一例として、一個の耳朶拘束体３８に２個のピン穴３４，３４を取り付け、多種類の装飾品１３の裏面に２本のピン３５，３５を設け、このピン３５，３５を差し込むことにより、簡単に交換することができる。耳朶拘束体３８と装飾品１３を一体にして製作することも可能である。耳朶５，５の下端を拘束している耳朶拘束体３８により、本発明８の耳珠当接体２０，２０、骨伝導式のイヤホーン１２，１２、補聴器１１，１１、装飾品１３，１３、イヤホーン１２，１２を安定して固定することができる。
【実施例９】
【００６１】
本発明の請求項９記載の眼鏡（以下、本発明９と言う）は、前記耳殻７，７と、該耳殻７，７に装着した仮の眼鏡フレームとの形状を３Ｄスキャナー又はデジタルカメラによって３Ｄデータリングし、その３Ｄデータによって得られた前記耳殻７，７に、フィットした理想的な眼鏡フレーム形状の合成に基づいて、其々の人の耳の形状に合致した眼鏡の製作を行うことを特徴としている。
【００６２】
実施の形態の一例として、第１４図は、本発明９の眼鏡の製作方法を示した説明図である。Ｄスキャナー又はデジタルカメラを使用して、製作する人の頭部及び耳殻７，７をデータリングして、その３Ｄデータをメガネ製作可能なデータに変換させ、その頭部及び耳殻７，７のデータに、予め製作しておいた仮想のフレームデータを合成させ、その耳殻７，７にフィットさせて理想的な３Ｄイメージの眼鏡フレーム形状を作成し、このフレームのデータに基づいて、其々の人の耳の形状に合致したフレームを３Ｄプリンターで簡単に製作できる。
【産業上の利用可能性】
【００６３】
以上のように、本発明の眼鏡は、前方下向き傾斜の鼻パッドを取り除き、テンプル２，２の後に回動自在に設けたモダン１，１を、折り畳めることでコンパクトとなる。モダン１，１に取り付けた装飾品１３，１３により、前方から見た場合、耳朶拘束体３８，３８は隠れるので、ファッション性に優れた眼鏡である。モダン１，１で左右側頭骨３１，３１及び左右乳様突起３２，３２を挟持させ、耳朶拘束体３８，３８を設けることにより、長期間眼鏡を掛けていても確実に固定され、鼻の横に跡が付いたり、皮膚の色が変色したりする事がない。実装感が良く、浮いた状態で安定して掛けることができる眼鏡として適している。
【符号の説明】
【００６４】
１    モダン
２    テンプル
３    レンズ部
４    フロントフレーム
５    耳朶
６    固定具    
７    耳殻
８    調整機構
９    保持体
１０    耳珠
１１    補聴器
１２    イヤホーン
１３    装飾品
１４    ディスプレイ
１５    ウエアラブル機器
１６    ブリッジ
１７    パッド本体
１８    アーム
１９    一体型パッド
２０    耳珠当接体
２１    接続部材
２２    鼻根
２３    レンズフレーム
２４    軸
２５    連結部材
２６    ネジ
２７    筒体
２８    挟持ストッパー
３０    バネ
３１    側頭骨
３２    乳様突起
３３    外耳孔
３４    ピン穴
３５    ピン
３６    湾曲部
３７    カメラ
３８    耳朶拘束体
【要約】
【解決手段】
レンズ部又はフロントフレームの両脇のヨロイを介して、延長されているテンプルの後にモダンを取り付け、このモダンを耳殻の外側の耳の付け根の形状に沿わせるとともに、このモダンで左右側頭骨及び左右乳様突起を挟持し、モダンの最終端に取り付け耳朶の表面に当接している保持体と耳朶の裏面から協働して耳朶を挟持する挟持ストッパーと、耳朶の下端を包むように当接している湾曲部が、耳朶を安定して拘束する構成である。【図１】
0005620601.tif 000002
【図２】
0005620601.tif 000003
【図３】
0005620601.tif 000004
【図４】
0005620601.tif 000005
【図５】
0005620601.tif 000006
【図６】
0005620601.tif 000007
【図７】
0005620601.tif 000008
【図８】
0005620601.tif 000009
【図９】
0005620601.tif 000010
【図１０】
0005620601.tif 000011
【図１１】
0005620601.tif 000012
【図１２】
0005620601.tif 000013
【図１３】
0005620601.tif 000014
【図１４】
0005620601.tif 000015